(57)【要約】    【課題】  広画角化で、全ズーム範囲にわたり高い光学性能が得られる小型のズームレンズを得ること。    【解決手段】  物体側より像側へ順に、正の屈折力の第１レンズ群、負の屈折力の第２レンズ群、正の屈折力の第３レンズ群、正の第４レンズ群を有し、ズーミングに際して、該第２レンズ群および第４レンズ群が移動するズームレンズであって、該第１レンズ群は最も物体側に両凹形状の負レンズと、２枚以上の正レンズを有し、該第１レンズ群の最も物体側に位置する負レンズの焦点距離ｆ１ｎ、該第１レンズ群の焦点距離ｆ１、該負レンズから該負レンズに隣接する正レンズまでの軸上距離Ｄ１１、該第１レンズ群の最も物体側の面から像面側の面までの距離ＤＬ１を各々適切に設定すること。【選択図】    図１
2009204942.tif 000002
【特許請求の範囲】
【請求項１】
物体側より像側へ順に、正の屈折力の第１レンズ群、負の屈折力の第２レンズ群、正の屈折力の第３レンズ群、正の第４レンズ群を有し、ズーミングに際して、該第２レンズ群および第４レンズ群が移動するズームレンズであって、
該第１レンズ群は最も物体側に両凹形状の負レンズと、２枚以上の正レンズを有し、
該第１レンズ群の最も物体側に位置する負レンズの焦点距離をｆ１ｎ、該第１レンズ群の焦点距離をｆ１、該負レンズから該負レンズに隣接する正レンズまでの軸上距離をＤ１１、該第１レンズ群の最も物体側の面から像面側の面までの距離をＤＬ１とするとき、
−１．８＜ｆ１ｎ／ｆ１＜  −０．９
−１５．４＜ｆ１ｎ／ｆｗ＜  −８．０
０．０２＜Ｄ１１／ＤＬ１＜０．３８
なる条件式を満足することを特徴とするズームレンズ。
【請求項２】
前記第１レンズ群の最も物体側の負レンズは、レンズ中に物体からの光線を折り曲げる反射面を有しており、該負レンズの物体側のレンズ面から像側のレンズ面までの軸上距離をＤｐｒとするとき、
７．０＜Ｄｐｒ／ｆｗ＜１３．０
なる条件式を満足することを特徴とする請求項１のズームレンズ。
【請求項３】
前記第２レンズ群の焦点距離をｆ２とするとき、
−２．５＜ｆ２／ｆｗ＜−１．６
なる条件式を満足することを特徴とする請求項１又は２のズームレンズ。
【請求項４】
広角端における全系の焦点距離をｆｗとするとき、
７．０＜ｆ１／ｆｗ＜１３．５
なる条件式を満足することを特徴とする請求項１、２又は３のいずれか１項のズームレンズ。
【請求項５】
前記負レンズの像側の面の曲率半径をＲ１２、該負レンズに隣接する正レンズの物体側の面の曲率半径をＲ２１とするとき、
０．１０＜Ｒ１２／Ｒ２１＜０．８５
なる条件式を満足することを特徴とする請求項１乃至４のいずれか１項のズームレンズ。
【請求項６】
前記第３レンズ群内のレンズの一部を光軸と垂直方向の成分を持つように移動させることにより、光軸と垂直方向の像位置を変位することを特徴とする請求項１乃至５のいずれか１項のズームレンズ。
【請求項７】
請求項１から６のいずれか１項に記載のズームレンズと、該ズームレンズによって形成された像を受光する固体撮像素子を有していることを特徴とする撮像装置。
【発明の詳細な説明】
【技術分野】
【０００１】
本発明はズームレンズに関し、ビデオカメラ、監視カメラ、デジタルスチルカメラ、放送用カメラ、銀塩写真用カメラ等の撮像装置に用いる撮影レンズとして好適なものである。
【背景技術】
【０００２】
固体撮像素子を用いたビデオカメラ、監視用カメラ、デジタルスチルカメラ等の撮像装置に用いる撮影光学系には、高ズーム比で高い光学性能を有したズームレンズであることが要求されている。
【０００３】
これらの要求を満足するズームレンズとして、物体側より像側へ順に、正、負、正、正の屈折力の第１〜第４レンズ群の４群ズームレンズや正、負、正、正、正の屈折力の第１〜第５レンズ群より成る５群ズームレンズが知られている。
【０００４】
これらのズームレンズにおいて、第２レンズ群を移動させて変倍を行い、第４レンズ群又は第５レンズ群を移動させて変倍に伴う像面変動を補正すると共にフォーカシングを行う、所謂リアフォーカスタイプのズームレンズが知られている（特許文献１〜５）。
【０００５】
又、このようなズームレンズにおいて、ズームレンズが振動したときの像振れを第３レンズ群を光軸と垂直方向（直交方向）の成分を持つように移動して補正するズームレンズが知られている（特許文献６）。
【０００６】
この他、物体側の第１レンズ群の光路中にミラーやプリズム等の光路折り曲げ部材を挿入し、光路を屈曲して撮像装置に用いたとき装置の前後方向（厚み方向）の薄型化を図ったズームレンズが知られている（特許文献７、８）。
【特許文献１】特開２００４−２７２１８７号公報
【特許文献２】特開２００５−３５２３４８号公報
【特許文献３】特開平５−７２４７５号公報
【特許文献４】特開平９−１８９８６２号公報
【特許文献５】特開平１１−１０１９４１号公報
【特許文献６】特開２００６−１８９６２７号公報
【特許文献７】特開２００４−１６３４７７号公報
【特許文献８】特開２００４−３４８０８２号公報
【発明の開示】
【発明が解決しようとする課題】
【０００７】
近年ビデオカメラや監視用カメラ等の撮像装置において使用されるズームレンズには、全系が小型で良好な光学性能を持つことは勿論のこと、更に広画角化（広角化）の要望が高い。
【０００８】
このズームレンズの広画角化を図るには、最も物体側に負の屈折力のレンズを配置するのが良い。しかしながら、この最も物体側に配置する負レンズのパワーや形状、そしてその負レンズを含む第１レンズ群の構成によっては、広画角化を図ったときの収差が増大してしまう場合がある。
【０００９】
特に、前述した４群以上のレンズ群を持つズームレンズにおいては、第１レンズ群の屈折力やレンズ構成等を適切に設定することが全系の小型化、広画角化、そして高い光学性能を得るのに大変重要になってくる。
【００１０】
本発明は、広画角化で、全ズーム範囲にわたり高い光学性能が得られる小型のズームレンズ及びそれを有する撮像装置の提供を目的とする。
【課題を解決するための手段】
【００１１】
本発明のズームレンズは、物体側より像側へ順に、正の屈折力の第１レンズ群、負の屈折力の第２レンズ群、正の屈折力の第３レンズ群、正の第４レンズ群を有し、ズーミングに際して、該第２レンズ群および第４レンズ群が移動するズームレンズであって、
該第１レンズ群は最も物体側に両凹形状の負レンズと、２枚以上の正レンズを有し、
該第１レンズ群の最も物体側に位置する負レンズの焦点距離をｆ１ｎ、該第１レンズ群の焦点距離をｆ１、該負レンズから該負レンズに隣接する正レンズまでの軸上距離をＤ１１、該第１レンズ群の最も物体側の面から像面側の面までの距離をＤＬ１とするとき、
−１．８  ＜ｆ１ｎ／ｆ１  ＜−０．９
−１５．４  ＜ｆ１ｎ／ｆｗ  ＜−８．０
０．０２＜Ｄ１１／ＤＬ１＜  ０．３８
なる条件式を満足することを特徴としている。
【発明の効果】
【００１２】
本発明によれば、広画角化で、全ズーム範囲にわたり高い光学性能が得られる小型のズームレンズが得られる。
【発明を実施するための最良の形態】
【００１３】
以下、本発明のズームレンズ（ズームレンズシステム）及びそれを有する撮像装置の実施例について説明する。
【００１４】
本発明のズームレンズは、物体側より像側へ順に、正の屈折力の第１レンズ群、負の屈折力の第２レンズ群、正の屈折力の第３レンズ群、正の第４レンズ群を有する４群ズームレンズである。
【００１５】
この他本発明のズームレンズは、第４レンズ群の像側に正の屈折力の第５レンズ群が配置される５郡ズームレンズである。尚、第５レンズ群の像側に１以上のレンズ群が配置される場合もある。
【００１６】
ズーミングに際して、第２レンズ群および第４レンズ群が移動する。
【００１７】
５群ズームレンズのときは第２レンズ群、第４レンズ群、そして第５レンズ群が移動することもある。
【００１８】
フォーカスに際しては第４レンズ群が移動する。５群ズームレンズのときは第４レンズ群に代えて第５レンズ群が移動することもある。
【００１９】
図１は本発明の実施例１のズームレンズの広角端（短焦点距離端）におけるレンズ断面図、図２、図３、図４はそれぞれ実施例１のズームレンズの広角端、中間のズーム位置、望遠端（長焦点距離端）における収差図である。
【００２０】
図５は本発明の実施例２のズームレンズの広角端におけるレンズ断面図、図６、図７、図８はそれぞれ実施例２のズームレンズの広角端、中間のズーム位置、望遠端における収差図である。
【００２１】
図９は本発明の実施例３のズームレンズの広角端におけるレンズ断面図、図１０、図１１、図１２はそれぞれ実施例３のズームレンズの広角端、中間のズーム位置、望遠端における収差図である。
【００２２】
図１３は本発明の実施例４のズームレンズの広角端におけるレンズ断面図、図１４、図１５、図１６はそれぞれ実施例４のズームレンズの広角端、中間のズーム位置、望遠端における収差図である。
【００２３】
図１７は本発明の実施例５のズームレンズの広角端におけるレンズ断面図、図１８、図１９、図２０はそれぞれ実施例５のズームレンズの広角端、中間のズーム位置、望遠端における収差図である。
【００２４】
図２１は本発明の実施例６のズームレンズの広角端におけるレンズ断面図、図２２、図２３、図２４はそれぞれ実施例６のズームレンズの広角端、中間のズーム位置、望遠端における収差図である。
【００２５】
図２５は本発明の実施例７のズームレンズの広角端におけるレンズ断面図、図２６、図２７、図２８はそれぞれ実施例７のズームレンズの広角端、中間のズーム位置、望遠端における収差図である。
【００２６】
図２９は本発明の実施例８のズームレンズの広角端におけるレンズ断面図、図３０、図３１、図３２はそれぞれ実施例８のズームレンズの広角端、中間のズーム位置、望遠端における収差図である。
【００２７】
図３５、図３６は本発明のズームレンズを有する撮像装置の要部概略図である。
【００２８】
各実施例のズームレンズはビデオカメラやデジタルカメラ等の撮像装置に用いられる撮影レンズ系である。レンズ断面図において、左方が被写体側（物体側）（前方）で、右方が像側（後方）である。
【００２９】
各実施例のズームレンズをプロジェクター等の投射レンズとして用いるときは、左方がスクリーン、右方が被投射画像となる。
【００３０】
レンズ断面図において、ｉは物体側からのレンズ群の順番を示し、Ｌｉは第ｉレンズ群である。
【００３１】
実施例１〜８のレンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正または負の屈折力の第４レンズ群である。
【００３２】
又、実施例７、８のレンズ断面図においてＬ５は正の屈折力の第５レンズ群である。各実施例のレンズ断面図において、ＳＰは開口絞りであり、第３レンズ群Ｌ３の物体側に位置している。
【００３３】
Ｇは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面が、銀塩フィルム用カメラの撮像光学系として使用する際にはフィルム面に相当する。
【００３４】
収差図において、ｄ、ｇは各々ｄ線及びｇ線、ΔＭ、ΔＳはメリディオナル像面、サジタル像面を表している。ＦはＦナンバー、ωは半画角である。非点収差、歪曲の収差図では２ωとして示しているが、光軸からの画角はωとなる。
【００３５】
尚、以下の各実施例において広角端と望遠端は変倍用レンズ群（第２レンズ群Ｌ２）が機構上光軸上移動可能な範囲の両端に位置したときのズーム位置をいう。
【００３６】
実施例１〜６は物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４より構成される４群ズームレンズである。
【００３７】
そして広角端から望遠端のズーム位置へズーミングに際して第２レンズ群Ｌ２を像側へ移動させて変倍を行うと共に、変倍に伴う像面変動を第４レンズ群Ｌ４を物体側に凸状の軌跡の一部を有しつつ移動させて補正している。
【００３８】
また、第４レンズ群Ｌ４を光軸上移動させてフォーカシングを行うリアフォーカス式を採用している。第４レンズ群Ｌ４の実線の曲線４ａと点線の曲線４ｂは各々無限遠物体と近距離物体にフォーカスしているときの広角端から望遠端のズーム位置へのズーミングの際の像面変動を補正するための移動軌跡である。
【００３９】
実施例１〜６において、例えば望遠端のズーム位置において無限遠物体から近距離物体へフォーカスを行う場合には、矢印Ｆに示すように第４レンズ群Ｌ４を前方に繰り出すことで行っている。
【００４０】
尚、実施例１〜６において第１レンズ群Ｌ１と第３レンズ群Ｌ３と開口絞りＳＰはズーミング及びフォーカスのためには不動である。但し収差補正上、必要に応じてこれらを移動させても良い。
【００４１】
実施例７、８は物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、正の屈折力の第５レンズ群Ｌ５より構成される５群ズームレンズである。
【００４２】
実施例７では、広角端から望遠端へのズーミングに際して矢印のように、第２レンズ群Ｌ２を像側へ第４レンズ群Ｌ４を物体側へ移動させて変倍を行うと共に、変倍に伴う像面変動を第５レンズ群Ｌ５を物体側に凸状の軌跡を有するよう移動させて補正している。
【００４３】
さらに、第５レンズ群Ｌ５を光軸上移動させてフォーカシングを行うリアフォーカスタイプを採用している。第５レンズ群Ｌ５に関する実線の曲線５ａと点線の曲線５ｂは、各々無限遠物体と近距離物体にフォーカスしているときの変倍に伴う像面変動を補正するための移動軌跡である。
【００４４】
又、望遠端において無限遠物体から近距離物体へフォーカスを行う場合には、矢印Ｆに示すように第５レンズ群Ｌ５を前方に繰り出すことで行っている。
【００４５】
尚、第１レンズ群Ｌ１と第３レンズ群Ｌ３、そして開口絞りＳＰは、ズーミング及びフォーカスの為には光軸方向に移動しない。但し収差補正上必要に応じ、これらを移動させても良い。
【００４６】
実施例８では広角端から望遠端のズーム位置へのズーミングに際して、第２レンズ群Ｌ２を像側へ移動させて変倍を行うと共に、変倍に伴う像面変動を第４レンズ群Ｌ４を物体側に凸状の軌跡の一部を有しつつ移動させて補正している。
【００４７】
また、第４レンズ群Ｌ４を光軸上移動させてフォーカシングを行うリアフォーカス式を採用している。第４レンズ群Ｌ４の実線の曲線４ａと点線の曲線４ｂは各々無限遠物体と近距離物体にフォーカスしているときの広角端から望遠端のズーム位置へのズーミングの際の像面変動を補正するための移動軌跡である。
【００４８】
実施例８において、例えば望遠端のズーム位置において無限遠物体から近距離物体へフォーカスを行う場合には、矢印Ｆに示すように第４レンズ群Ｌ４を前方に繰り出すことで行っている。
【００４９】
尚、第１レンズ群Ｌ１と第３レンズ群Ｌ３と第５レンズ群Ｌ５はズーミング及びフォーカスのためには不動である。但し収差補正上、必要に応じてこれらを移動させても良い。
【００５０】
各実施例において、第１レンズ群Ｌ１は最も物体側に位置する両凹形状の負レンズと、２枚以上の正レンズを有している。
【００５１】
第１レンズ群Ｌ１の最も物体側に位置する負レンズの焦点距離をｆ１ｎとする。第１レンズ群の焦点距離をｆ１とする。
【００５２】
図３４は実施例１〜４、７、８における第１レンズ群Ｌ１のレンズ構成のレンズ断面図である。図３４に示すように、負レンズＧ１１から負レンズＧ１１に隣接する正レンズＧ１２までの軸上距離をＤ１１とする。第１レンズ群Ｌ１の最も物体側の面から像面側の面までの距離をＤＬ１とする。
【００５３】
尚、距離ＤＬ１は後述するように負レンズＧ１１中に反射面を含む実施例５、６においても同様に適用である。
【００５４】
このとき、
−１．８  ＜ｆ１ｎ／ｆ１  ＜−０．９    ・・・・・（１）
−１５．４  ＜ｆ１ｎ／ｆｗ  ＜−８．０    ・・・・・（２）
０．０２＜Ｄ１１／ＤＬ１＜  ０．３８  ・・・・・（３）
なる条件式を満足している。
【００５５】
条件式（１）〜（３）は広画角で小型のズームレンズを得るためのものである。
【００５６】
一般に広画角化を実現するためには負レンズ（もしくは負レンズ群）を最も物体側に設置する構成が有利である。
【００５７】
この際、収差補正上この負レンズをレンズ系から離す構成が有利である。この構成は広画角化を実現させることが容易となるが、負レンズを物体側に出すことにより軸外光線と軸上光線が通過する位置が大きく異なる。
【００５８】
このため必然的に負レンズのレンズ有効径が大きくなってしまい小型化が難しくなる。前述の構成は、この点を解決するためのものである。
【００５９】
各実施例では最も物体側に両凹形状の負レンズＧ１１を配置して広画角化を図るため負のパワーを第１レンズ群Ｌ１に持たせ易くしている。又、これによりレンズ系全体の有効径を決定する最も物体側の負レンズＧ１１のレンズ径の増大を抑えている。
【００６０】
条件式（１）は、第１レンズ群Ｌ１のパワー（屈折力）に対し、最も物体側の負レンズＧ１１のパワーを適切に設定させるためのものである。
【００６１】
条件式（１）の上限値を超えて第１レンズ群Ｌ１の最も物体側の負レンズＧ１１の焦点距離が小さく（パワーが大きく）なると、有効径を抑えつつ広画角化させるには有利となるがそれに伴い諸収差の発生が大きくなり好ましくない。
【００６２】
さらにはズーム全域における収差変動を抑えることが困難になってしまう。また、条件式（１）の下限値を超えて第１レンズ群Ｌ１の最も物体側の負レンズＧ１１のパワーが小さくなると有効径を抑えつつ広画角化させるのが困難となり、全系の小型化を図るのが難しくなってくる。
【００６３】
条件式（２）は、広角端における焦点距離に対し最も物体側の負レンズＧ１１のパワーを適切に設定させるためのものである。
【００６４】
条件式（２）の上限値を超えて第１レンズ群Ｌ１の最も物体側の負レンズＧ１１のパワーが大きくなると、有効径を抑えつつ広画角化させるには有利となるがそれに伴い諸収差の発生が大きくなる。
【００６５】
又、レンズ系全体としての諸収差の補正が不十分となってしまい好ましくない。また、条件式（２）の下限値を超えて第１レンズ群Ｌ１の最も物体側の負レンズＧ１１のパワーが小さくなると広画角化させるのが困難となってしまい好ましくない。
【００６６】
条件式（３）は、最も物体側の負レンズＧ１１と、それに隣接する正レンズＧ１２の位置を適切に設定するためのものである。
【００６７】
条件式（３）の上限値を超えてしまうと第１レンズ群Ｌ１から負レンズＧ１１のみが物体側へ間隔を広げるレンズ構成となり、レンズ径の増大だけでなくレンズ全長も増大してしまい、全系の小型化が難しくなる。
【００６８】
また、条件式（３）の下限値を超えてしまうと、負レンズＧ１１とそれに隣接する正レンズＧ１２の間隔が狭まる構成となり、歪曲収差などの諸収差の補正が困難になる。
【００６９】
尚、各実施例において更に好ましくは条件式（１）、（２）、（３）の数値範囲を以下の如く設定するのが良い。
【００７０】
−１．７  ＜ｆ１ｎ／ｆ１  ＜−１．０  ・・・・・（１ａ）
−１４．８  ＜ｆ１ｎ／ｆｗ  ＜−８．５  ・・・・・（２ａ）
０．０４＜Ｄ１１／ＤＬ１＜  ０．３６・・・・・（３ａ）
各実施例では、以上説明したような構成とすることにより、半画角で約３８°となる広画角化を実現しズーム全域で諸収差が良好に補正されたズームレンズが得られる。
【００７１】
更に、広角端におけるＦナンバーが１．８５程度と大口径比のリアフォーカスタイプのズームレンズを実現することができる。
【００７２】
本発明の初期の目的とするズームレンズは、以上のような構成を満足することにより実現されるが、更に高ズーム比を維持しつつ光学性能を良好に維持するためには、以下の条件のうち少なくとも１つを満足することが望ましい。
【００７３】
◎第１レンズ群Ｌ１の最も物体側の負レンズは、レンズ中に物体からの光線を折り曲げる反射面を有している。そして負レンズの物体側のレンズ面から像側のレンズ面までの軸上距離をＤｐｒとする。
【００７４】
このとき、
７．０＜Ｄｐｒ／ｆｗ＜１３．０  ・・・・・（４）
なる条件式を満足することである。
【００７５】
条件式（４）は、最も物体側の両凹形状の負レンズＧ１１の厚さを大きくとり、レンズ中に反射面を設けることにより光路折り曲げ構成のレンズ系を実現するためのものである。これにより、物体側の第１レンズ面から像面までの奥行き方向を縮小している。
【００７６】
条件式（４）の上限値を超えると、負レンズが大きくなってしまい小型化からの観点から好ましくない。又、条件式（４）の下限値を超えると、光路折り曲げにより軸外光線がけられ、周辺光量が低下してくるので好ましくない。
【００７７】
条件式（４）の数値範囲は、以下の如く設定すると更に好ましい。
【００７８】
８．０＜Ｄｐｒ／ｆｗ＜１２．０  ・・・・・（４ａ）
◎第２レンズ群Ｌ２の焦点距離をｆ２とする。このとき、
−２．５＜ｆ２／ｆｗ＜−１．６  ・・・・・（５）
なる条件式を満足することである。
【００７９】
条件式（５）は、第２レンズ群Ｌ２の焦点距離すなわち屈折力を規定する式である。条件式（５）は広画角化によって第１レンズ群Ｌ１で発生する諸収差を第２レンズ群Ｌ２において補正し、加えてズーミングにおける諸収差の変動を抑えるための条件である。
【００８０】
条件式（５）の上限値を超えて第２レンズ群Ｌ２の焦点距離が長くなる（パワーが弱まる）と、所望のズーム比を得るために第２レンズ群Ｌ２の移動量が大きくなり、レンズ全長の増大を招き好ましくない。また、条件式（５）の下限値を超えて、第２レンズ群Ｌ２の焦点距離が短くなる（パワーが強まる）と、レンズ系全体の小型化には有利となるが、ペッツバール和が負の方向に大きくなってしまい像面がオーバーとなり好ましくない。
【００８１】
条件式（５）に関しては、以下の如く設定すると更に好ましい。
【００８２】
−２．３５＜ｆ２／ｆｗ＜−１．７５  ・・・・・（５ａ）
◎広角端における全系の焦点距離をｆｗとする。このとき、
７．０＜ｆ１／ｆｗ＜１３．５  ・・・・・（６）
なる条件式を満足することである。
【００８３】
条件式（６）は、第１レンズ群Ｌ１の焦点距離すなわち屈折力を規定する式である。各実施例では広画角化のために最も物体側の負レンズＧ１１に強い負のパワーを持たせている。
【００８４】
そして更に第１レンズ群Ｌ１内に正レンズを２以上適切に配置することにより、負レンズＧ１１で発生する諸収差をキャンセルさせている。条件式（１）はその効果的な補正のためのパワー配置を第１レンズ群Ｌ１全体でのパワーで規定している。
【００８５】
条件式（６）の上限値を超えて第１レンズ群Ｌ１のパワーが小さくなると、第１レンズ群Ｌ１の正レンズの数を増やすなどの処置が必要となる。この結果、第１レンズ群Ｌ１全体のレンズ全長が大きくなってしまい、レンズ系全体としてのレンズ全長が増大してくるので好ましくない。
【００８６】
また、条件式（６）の下限値を超えて、第１レンズ群Ｌ１のパワーが大きくなると広画角化により発生する諸収差を良好に補正しきれなくなるので好ましくない。
【００８７】
条件式（６）の数値範囲は、以下の如く設定すると更に好ましい。
【００８８】
８．０＜ｆ１／ｆｗ＜１１．５  ・・・・・（６ａ）
図３４に示すように第１レンズ群Ｌ１中の最も物体側の負レンズＧ１１の像側の面Ｒ１１ｂの曲率半径をＲ１２、負レンズに隣接する正レンズＧ１２の物体側の面Ｒ１２ａの曲率半径をＲ２１とする。このとき、
０．１０＜Ｒ１２／Ｒ２１＜０．８５  ・・・・・（７）
なる条件式を満足することである。
【００８９】
条件式（７）は、広画角化のために負レンズＧ１１の像側の面Ｒ１１ｂにパワーを持たせた曲率としつつも、面Ｒ１１ｂと正レンズＧ１２の物体側の面Ｒ１２ａとの曲率差（曲率半径の差）をつけることにより効果的に収差補正をおこなうための条件式である。
【００９０】
特に望遠端における球面収差やコマ収差等を良好に補正するためのものである。
【００９１】
条件式（７）の上限値を超えて、面Ｒ１１ｂと面Ｒ１２ａの曲率の差が少なくなると収差補正の効果が減少するので好ましくない。
【００９２】
また、条件式（７）の下限値を超えて面Ｒ１１ｂと面Ｒ１２ａの曲率差が大きくなると収差補正のバランスがとれず好ましくない。
【００９３】
更に好ましくは条件式（７）の数値範囲を以下の如く設定すると更に好ましい。
【００９４】
０．１５＜Ｒ１２／Ｒ２１＜０．８０  ・・・・・（７ａ）
◎第３レンズ群Ｌ３内のレンズの一部を光軸と直交方向の成分を持つように移動させることにより、手ぶれ発生時の像面上の像ぶれ補正を行うのが良い。
【００９５】
これは、光学系中の最も有効径が小さくなる第３レンズ群Ｌ３の一部のレンズ群を光軸方向に対してほぼ直交方向の成分を持つようにシフトさせる構造を採用している。これにより、トルクの小さい駆動系でシフトさせることができるようにし、全系の小型化を図っている。
【００９６】
また、第３レンズ群Ｌ３の一部がシフトした際の像面における像のシフト量が大きくなるので、像ぶれ補正のための第３レンズ群Ｌ３の一部のレンズ群のシフト量を小さくすることができる。
【００９７】
◎レンズ系全体が５つのレンズ群から成るときは第４レンズ群を正または負の屈折力とし、第５レンズ群を正の屈折力とするのが良い。そして第４および第５レンズ群のうち少なくとも１以上がズーミングにおいて移動するのが良い。
【００９８】
これは、広画角化することにより劣化してくる収差の補正を、より効果的に行うのに好ましい。即ち全体が、正、負、正、負、正の屈折力および正、負、正、正、正の屈折力のレンズ群配置とすることである。
【００９９】
そして第４および第５レンズ群のどちらか一方が変倍に伴う像面変動の補正およびフォーカス群レンズ群としての役割を担うために移動可能なレンズ群とするのが良い。
【０１００】
次に各実施例のレンズ構成を説明する。以下、レンズ構成は特に断りがない限り、物体側から像側へ順に配置されている順に説明する。
【０１０１】
［実施例１（図１）］
第１レンズ群Ｌ１は両凹形状の負レンズＧ１１、両凸形状の正レンズＧ１２、両凸形状の正レンズＧ１３、物体側の面が凸でメニスカス形状の正レンズＧ１４より成っている。これにより、負レンズＧ１１で発生する諸収差を正レンズＧ１２、正レンズＧ１３および正レンズＧ１４のレンズで補正している。
【０１０２】
なお、正レンズＧ１２においては、色収差をさらに良好なものとするために、材料に商品名Ｓ−ＦＰＬ５１や商品名Ｓ−ＦＰＬ５３（（株）ＯＨＡＲＡ社製）などの超低分散ガラスを使用するのが良い。
【０１０３】
第２レンズ群Ｌ２は、物体側の面が凸でメニスカス形状の負レンズＧ２１、両凹形状の負レンズＧ２２、両凸形状の正レンズＧ２３により成っている。正レンズＧ２３の両レンズ面は非球面形状である。これにより広角端における歪曲収差をはじめズーミングに伴う各収差の変動を良好に補正している。
【０１０４】
第３レンズ群Ｌ３は両凸形状の正レンズＧ３１、両凸形状の正レンズＧ３２と物体側の面が凸でメニスカス形状の負レンズＧ３３との接合レンズにより成っている。
【０１０５】
このとき正レンズＧ３１の両レンズ面は非球面形状であり、これにより広角端における球面収差をはじめズーム全域における諸収差を効果的に補正している。
【０１０６】
また、正レンズＧ３１の両レンズ面を非球面形状として良好に諸収差を補正しつつも、第２レンズ群Ｌ２からの発散光束径をあまり広げることなく（第４レンズ群Ｌ４が大型化しないように）射出している。
【０１０７】
第４レンズ群Ｌ４は、両凸形状の正レンズＧ４１と像面側の面が凸でメニスカス形状の負レンズＧ４２を接合した接合レンズにより成っている。
【０１０８】
このとき、正レンズＧ４１の物体側のレンズ面は非球面形状である。これにより第４レンズ群Ｌ４のフォーカスによる諸収差の変動を少なくしている。また第４レンズ群Ｌ４に接合レンズを設けることによりズーム全域において軸上および倍率色収差を良好に補正している。
【０１０９】
［実施例２（図５）］
第１レンズ群Ｌ１は両凹形状の負レンズＧ１１、両凸形状の正レンズＧ１２、両凸形状の正レンズＧ１３、物体側の面が凸でメニスカス形状の正レンズＧ１４より成っている。これにより、負レンズＧ１１で発生する諸収差を正レンズＧ１２、正レンズＧ１３および正レンズＧ１４のレンズで補正させている。
【０１１０】
第２レンズ群Ｌ２は、物体側の面が凸でメニスカス形状の負レンズＧ２１、両凹形状の負レンズＧ２２、両凸形状の正レンズＧ２３により成っている。正レンズＧ２３の両レンズ面は非球面形状である。これにより広角端における歪曲収差をはじめズーミングに伴う各収差の変動を良好に補正している。
【０１１１】
第３レンズ群Ｌ３は物体側の面が凸でメニスカス形状の正レンズＧ３１、物体側の面が凸でメニスカス形状の負レンズＧ３２により成っている。このとき正レンズＧ３１の両レンズ面は非球面形状であり、これにより広角端における球面収差をはじめズーム全域における諸収差を効果的に補正している。
【０１１２】
また、正レンズＧ３１の両レンズ面を非球面形状として良好に諸収差を補正しつつも、第２レンズ群Ｌ２からの発散光束径をあまり広げることなく射出している。
【０１１３】
第４レンズ群Ｌ４は、両凸形状の正レンズＧ４１と像面側の面が凸でメニスカス形状の負レンズＧ４２とを接合した接合レンズにより成っている。
【０１１４】
このとき、正レンズＧ４１の物体側のレンズ面は非球面形状である。これにより第４レンズ群Ｌ４のフォーカスによる諸収差の変動を少なくしている。また第４レンズ群Ｌ４に接合レンズを設けることによりズーム全域において軸上および倍率色収差を良好に補正している。
【０１１５】
［実施例３（図９）］
第１レンズ群Ｌ１は両凹形状の負レンズＧ１１、両凸形状の正レンズＧ１２、物体側の面が凸でメニスカス形状の正レンズＧ１３より成っている。これにより、負レンズＧ１１で発生する諸収差を正レンズＧ１２および正レンズＧ１３レンズで補正している。
【０１１６】
第２レンズ群Ｌ２は、物体側の面が凸でメニスカス形状の負レンズＧ２１、像面側の面が凸でメニスカス形状の負レンズＧ２２、両凸形状の正レンズＧ２３により成っている。正レンズＧ２３の両レンズ面は非球面形状である。これにより広角端における歪曲収差をはじめズーミングに伴う各収差の変動を良好に補正している。
【０１１７】
第３レンズ群Ｌ３は両凸形状の正レンズＧ３１、両凸形状の正レンズＧ３２と両凹形状の負レンズＧ３３とを接合した接合レンズにより成っている。このとき正レンズＧ３１の両レンズ面は非球面形状であり、広角端において球面収差をはじめズーム全域における諸収差を効果的に補正している。
【０１１８】
また、正レンズＧ３１の両レンズ面を非球面形状として良好に諸収差を補正しつつも、第２レンズ群Ｌ２からの発散光束径をあまり広げることなく射出している。
【０１１９】
第４レンズ群Ｌ４は、両凸形状の正レンズＧ４１と像面側の面が凸でメニスカス形状の負レンズＧ４２とを接合した接合レンズにより成っている。
【０１２０】
このとき、正レンズＧ４１の物体側のレンズ面は非球面形状である。これにより第４レンズ群Ｌ４のフォーカスによる諸収差の変動を少なくしている。また第４レンズ群Ｌ４に接合レンズを設けることによりズーム全域において軸上および倍率色収差を良好に補正している。
【０１２１】
［実施例４（図１３）］
第１レンズ群Ｌ１は両凹形状の負レンズＧ１１、両凸形状の正レンズＧ１２、両凸形状の正レンズＧ１３、物体側の面が凸でメニスカス形状の正レンズＧ１４より成っている。これにより、負レンズＧ１１で発生する諸収差を正レンズＧ１２、正レンズＧ１３および正レンズＧ１４で補正している。
【０１２２】
なお、正レンズＧ１２においては、色収差をさらに良好なものとするために、材料に商品名Ｓ−ＦＰＬ５１や商品名Ｓ−ＦＰＬ５３（（株）ＯＨＡＲＡ社製）などの超低分散ガラスを使用するのが良い。
【０１２３】
第２レンズ群Ｌ２は、物体側の面が凸でメニスカス形状の負レンズＧ２１、両凹形状の負レンズＧ２２、両凸形状の正レンズＧ２３により成っている。正レンズＧ２３の両レンズ面は非球面形状である。これにより広角端における歪曲収差をはじめズーミングに伴う各収差の変動を良好に補正している。
【０１２４】
第３レンズ群Ｌ３は両凸形状の正レンズＧ３１、両凸形状の正レンズＧ３２と両凹形状の負レンズＧ３３とを接合した接合レンズにより成っている。
【０１２５】
このとき正レンズＧ３１の両レンズ面は非球面形状であり、これにより広角端における球面収差をはじめズーム全域における諸収差を効果的に補正している。また、正レンズＧ３１の両レンズ面を非球面形状として良好に諸収差を補正しつつも、第２レンズ群Ｌ２からの発散光束径をあまり広げることなく射出している。
【０１２６】
第４レンズ群Ｌ４は、両凸形状の正レンズＧ４１と像面側の面が凸でメニスカス形状の負レンズＧ４２とを接合した接合レンズにより成っている。このとき、正レンズＧ４１の物体側のレンズ面は非球面形状である。これにより第４レンズ群Ｌ４のフォーカスによる諸収差の変動を少なくしている。
【０１２７】
また第４レンズ群Ｌ４に接合レンズを設けることによりズーム全域において軸上および倍率色収差を良好に補正している。さらに、第３レンズ群Ｌ３中の正レンズＧ３２と負レンズＧ３３の接合レンズを光軸に対してほぼ直行方向の成分を持つようにシフトさせることにより、光軸と垂直方向の像位置を変位させて手ぶれ発生時の像ぶれを補正できるような構成としている。なおシフトを行うレンズにおいては第３レンズ群内の一部のレンズ群であっても良く、又第３レンズ群Ｌ３全体をシフトさせる構成としても良い。
【０１２８】
尚、本実施例では負レンズＧ１１の有効径を小さくし、より小型化を実現するために歪曲収差を−１０％程度に許容しているが、本ズームレンズを搭載させる撮像装置において電子歪曲補正による手段を利用してこれを低減してもよい。
【０１２９】
［実施例５（図１７、図３３）］
第１レンズ群Ｌ１は両凹形状の負レンズＧ１１、両凸形状の正レンズＧ１２、両凸形状の正レンズＧ１３、物体側の面が凸でメニスカス形状の正レンズＧ１４より成っている。これにより、負レンズＧ１１で発生する諸収差を正レンズＧ１２、正レンズＧ１３および正レンズＧ１４レンズで補正している。
【０１３０】
また負レンズＧ１１は、レンズ中に反射面を設け、光路を折り曲げる構成をとるためにレンズ中心間隔を考慮した構成としている。
【０１３１】
第２レンズ群Ｌ２は、物体側の面が凸でメニスカス形状の負レンズＧ２１、両凹形状の負レンズＧ２２、物体側の面が凸でメニスカス形状の正レンズＧ２３により成っている。これにより広角端における歪曲収差をはじめズーミングに伴う各収差の変動を良好に補正している。
【０１３２】
第３レンズ群Ｌ３は両凸形状の正レンズＧ３１、物体側の面が凸でメニスカス形状の正レンズＧ３２と物体側の面が凸でメニスカス形状の負レンズＧ３３とを接合した接合レンズにより成っている。
【０１３３】
このとき正レンズＧ３１の両レンズ面は非球面形状であり、これにより広角端における球面収差をはじめズーム全域における諸収差を効果的に補正している。また、正レンズＧ３１の両レンズ面を非球面形状として良好に諸収差を補正しつつも、第２レンズ群Ｌ２からの発散光束径をあまり広げることなく射出している。
【０１３４】
さらに、正レンズＧ３２と正レンズＧ３３とを接合した接合レンズを光軸に対してほぼ直行方向の成分を持つようにシフトさせることにより、手ぶれ発生時の像ぶれを補正できるような構成としている。なおシフトを行うレンズにおいては第３レンズ群Ｌ３全体をシフトさせる構成としても良い。
【０１３５】
第４レンズ群Ｌ４は、両凸形状の正レンズＧ４１と像面側の面が凸でメニスカス形状の負レンズＧ４２とを接合した接合レンズにより成っている。このとき、正レンズＧ４１の物体側のレンズ面は非球面形状である。
【０１３６】
これにより第４レンズ群Ｌ４のフォーカスによる諸収差の変動を少なくしている。また第４レンズ群Ｌ４中に接合レンズを設けることによりズーム全域において軸上および倍率色収差を良好に補正している。
【０１３７】
図３３は実施例５のズームレンズを撮像装置に組み込むときの具体的なレンズ断面図である。
【０１３８】
第１レンズ群Ｌ１中の最も物体側の負レンズＧ１１は、レンズ中に物体からの光路を９０度折り曲げる反射面Ｌ１ａを有している。
【０１３９】
これによって撮像装置に適用したときの前後方向（厚み）を薄くしている。尚、図３３の構成は後述する実施例６のズームレンズにおいても同様である。
【０１４０】
［実施例６（図２１）］
第１レンズ群Ｌ１は両凹形状の負レンズＧ１１、両凸形状の正レンズＧ１２、両凸形状の正レンズＧ１３、物体側の面が凸でメニスカス形状の正レンズＧ１４より成っている。これにより、負レンズＧ１１で発生する諸収差を正レンズＧ１２、正レンズＧ１３および正レンズＧ１４レンズで補正している。また負レンズＧ１１は、実施例５と同様にレンズ中で反射面を設け光路を折り曲げる構成をとるためにレンズ中心間隔を考慮した構成としている。
【０１４１】
第２レンズ群Ｌ２は、物体側の面が凸でメニスカス形状の負レンズＧ２１、両凹形状の負レンズＧ２２、物体側の面が凸でメニスカス形状の正レンズＧ２３により成っている。これにより広角端における歪曲収差をはじめズーミングに伴う各収差の変動を良好に補正している。
【０１４２】
第３レンズ群Ｌ３は両凸形状の正レンズＧ３１、物体側の面が凸でメニスカス形状の正レンズＧ３２により成っている。このとき正レンズＧ３１の両レンズ面は非球面形状であり、これにより広角端における球面収差をはじめズーム全域における諸収差を効果的に補正している。また、正レンズＧ３１の両レンズ面を非球面形状として良好に収差を補正しつつも、第２レンズ群Ｌ２からの発散光束径をあまり広げることなく射出している。
【０１４３】
第４レンズ群Ｌ４は、両凸形状の正レンズＧ４１と像面側の面が凸でメニスカス形状の負レンズＧ４２とを接合した接合レンズにより成っている。
【０１４４】
このとき、正レンズＧ４１の物体側のレンズ面は非球面形状である。これにより第４レンズ群Ｌ４のフォーカスによる諸収差の変動を少なくしている。また第４レンズ群Ｌ４中に接合レンズを設けることによりズーム全域において軸上および倍率色収差を良好に補正している。
【０１４５】
［実施例７（図２５）］
第１レンズ群Ｌ１は両凹形状の負レンズＧ１１、両凸形状の正レンズＧ１２、物体側の面が凸でメニスカス形状の正レンズＧ１３、物体側の面が凸でメニスカス形状の正レンズＧ１４より成っている。これにより、負レンズＧ１１で発生する諸収差を正レンズＧ１２、正レンズＧ１３および正レンズＧ１４のレンズで補正している。
【０１４６】
第２レンズ群Ｌ２は、物体側の面が凸でメニスカス形状の負レンズＧ２１、物体側の面が凸でメニスカス形状の負レンズＧ２２、両凹形状の負レンズＧ２３、両凸形状の正レンズＧ２４により成っている。
【０１４７】
第３レンズ群Ｌ３は物体側の面が凸でメニスカス形状の正レンズＧ３１、物体側の面が凸でメニスカス形状の負レンズＧ３２により成っている。このとき正レンズＧ３１の物体側の面は非球面形状であり、これにより広角端における球面収差をはじめズーム全域における諸収差を効果的に補正している。
【０１４８】
非球面形状はレンズ中心からレンズ周辺にいくにしたがって正の屈折力が弱くなる形状としている。つまり、正レンズＧ３１のパワーを適切に設定することにより、正レンズＧ３１の物体側の面を非球面形状として良好に諸収差を補正しつつも、第２レンズ群Ｌ２からの発散光束径をあまり広げることなく射出している。
【０１４９】
第４レンズ群Ｌ４は、物体側の面が凸でメニスカス形状の負レンズＧ４１と物体側の面が凸でメニスカス形状の正レンズＧ４２とを接合した接合レンズにより成っている。これにより各ズーム位置での諸収差を良好に補正している。
【０１５０】
第５レンズ群Ｌ５は、両凸形状の正レンズＧ５１と像面側の面が凸でメニスカス形状の負レンズＧ５２とを接合した接合レンズにより成っている。このとき、正レンズＧ５１の物体側のレンズ面は非球面形状である。これにより第５レンズ群Ｌ５のフォーカスによる諸収差の変動を少なくしている。また第５レンズ群Ｌ５中に接合レンズを設けることによりズーム全域において軸上および倍率色収差を良好に補正している。
【０１５１】
［実施例８（図２９）］
第１レンズ群Ｌ１は両凹形状の負レンズＧ１１、両凸形状の正レンズＧ１２、両凸形状の正レンズＧ１３、物体側の面が凸でメニスカス形状の正レンズＧ１４より成っている。これにより、負レンズＧ１１で発生する諸収差を正レンズＧ１２、正レンズＧ１３および正レンズＧ１４のレンズで補正させている。
【０１５２】
なお、正レンズＧ１２においては、色収差をさらに良好なものとするために、商品名Ｓ−ＦＰＬ５１や商品名Ｓ−ＦＰＬ５３（（株）ＯＨＡＲＡ社製）などの超低分散ガラスを使用するのが良い。
【０１５３】
第２レンズ群Ｌ２は、物体側の面が凸でメニスカス形状の負レンズＧ２１、両凹形状の負レンズＧ２２、両凸形状の正レンズＧ２３により成っている。正レンズＧ２３の両面は非球面形状である。これにより広角端における歪曲収差をはじめズーミングに伴う各収差の変動を良好に補正している。
【０１５４】
第３レンズ群Ｌ３は両凸形状の正レンズＧ３１、両凸形状の正レンズＧ３２と両凹形状の負レンズＧ３３とを接合した接合レンズにより成っている。このとき正レンズＧ３１の両レンズ面は非球面形状であり、これにより広角端における球面収差をはじめズーム全域における諸収差を効果的に補正している。また、正レンズＧ３１の両レンズ面を非球面形状として良好に諸収差を補正しつつも、第２レンズ群Ｌ２からの発散光束径をあまり広げることなく射出している。
【０１５５】
第４レンズ群Ｌ４は、両凸形状の正レンズＧ４１と像面側の面が凸でメニスカス形状の負レンズＧ４２とを接合した接合レンズにより成っている。このとき、正レンズＧ４１の物体側のレンズ面は非球面形状である。これにより第４レンズ群Ｌ４のフォーカスによる諸収差の変動を少なくしている。また第４レンズ群Ｌ４中に接合レンズを設けることによりズーム全域において軸上および倍率色収差を良好に補正している。
【０１５６】
第５レンズ群Ｌ５は、両凸形状の正レンズＧ５１により成っている。これにより諸収差を抑えつつ像面において良好なテレセントリック性を維持する役割を担っている。なお、正レンズＧ５１においては、色収差をさらに良好なものとするために、商品名Ｓ−ＦＰＬ５１や商品名Ｓ−ＦＰＬ５３（（株）ＯＨＡＲＡ社製）などの超低分散ガラスを使用するのが良い。
【０１５７】
以上のように、各実施例によればレンズ全系が小型で、半画角が約３８°と広画角で、かつ全ズーム範囲にわたり高い光学性能を有したズームレンズが得られる。
【０１５８】
この他、各実施例においては、以下のような特徴を有したズームレンズが得られる。
【０１５９】
・リアフォーカス方式を採用し、全系の小型化を図りつつ、広角端から望遠端に至るズーム領域全般にわたり、良好なる光学性能を得ることができる。
【０１６０】
・第１レンズ群Ｌ１をズーミングのためには不動としているためメカ機構を簡単とすることができる。
【０１６１】
・全ズーム範囲にわたり高い光学性能を有し、かつ広角端におけるＦナンバーが１.８５程度の大口径比を図ることができる。
【０１６２】
・一部のレンズおよびレンズ群を光軸に対して垂直方向の成分を持つように移動させており、これにより手ぶれ等の振動に伴う像ぶれを光学機能を良好に維持しつつ補正することができる。
【０１６３】
なお各実施例においては以下の構成をとっても良い。
【０１６４】
・開口絞りＳＰを第３レンズ群Ｌ３の物体側に設定しているが、これに限らずどこでも良い。例えば開口絞りＳＰを第３レンズ群Ｌ３の中や像面側に配置しても良い。又、開口絞りＳＰを他のレンズ群と独立に移動させても良い。
【０１６５】
・歪曲収差をはじめとする諸収差を電気的に補正する電気的補正手段を利用しても良い。
【０１６６】
・非球面レンズの材料は、ガラス材料に限らずガラス材料より成る球面レンズ面上に樹脂材料で非球面を形成した（非球面成分を乗せた）ハイブリッドタイプの非球面レンズやプラスチック成形より成る非球面レンズを用いても良い。
【０１６７】
次に、各実施例に対応する数値実施例を示す。各数値実施例においてｉは物体側からの面の順序を示し、Ｒｉは第ｉ番目の面（第ｉ面）の曲率半径、ｄｉは第ｉ面と第ｉ＋１面との間隔、Ｎｉ、νｉはそれぞれｄ線を基準とした屈折率、アッベ数を示す。
【０１６８】
また、各数値実施例において最も像側の２面は光学ブロックＧに相当する平面である。また、ｋ、Ｂ、Ｃ、Ｄ、Ｅは非球面係数である。
【０１６９】
非球面形状は光軸からの高さｈの位置での光軸方向の変位を面頂点を基準にしてｘとするとき
ｘ＝（ｈ２／Ｒ）／［１＋｛１−（１＋ｋ）（ｈ／Ｒ）２｝１／２］＋Ｂｈ４＋Ｃｈ６＋Ｄｈ８＋Ｅｈ10
で表される。但しＲは近軸曲率半径である。また、例えば「ｅ−Ｚ」の表示は「１０-Ｚ」を意味する。
【０１７０】
数値実施例１〜７で像側の５つの面、数値実施例８で像側の２つの面はガラスブロックに相当する面である。
【０１７１】
前述の各条件式と各数値実施例との関係を（表１）に示す。
【０１７２】
［数値実施例１］
i      Ri            di            Ni            νi    
1      -301.604      1.400         1.84666       23.8   
2      31.861        2.823                
3      128.935       3.100         1.48749       70.2   
4      -71.208       0.150                
5      39.924        3.600         1.69680       55.5   
6      -315.159      0.150                
7      23.781        3.850         1.80400       46.6   
8      131.676       （可変）                    
9      11.635        0.500         2.00330       28.3   
10     4.308         3.180                
11     -6.738        0.500         1.69680       55.5   
12     12.539        0.753                
13*    24.722        1.774         1.84666       23.8   
14*    -12.402       （可変）                    
15     （絞り）      0.150                
16*    6.691         2.604         1.69350       53.2   
17*    -35.697       0.816                
18     10.868        0.922         1.48749       70.2   
19     127.478       0.400         1.83400       37.2   
20     5.185         （可変）                    
21*    8.909         3.200         1.58313       59.4   
22     -5.044        0.400         1.92286       18.9   
23     -9.720        （可変）                    
24     ∞            1.000         1.51400       60.0   
25     ∞            0.710         1.54400       70.0   
26     ∞            0.650                
27     ∞            0.500         1.50000       60.0   
28     ∞                          
非球面係数                                
K             Ｂ            Ｃ            Ｄ            Ｅ
13*    0.000E+00     4.833E-04     1.579E-05     -2.251E-06    2.356E-08
14*    -7.362E-01    -1.165E-05    2.211E-05     -1.555E-06    0.000E+00
16*    -3.467E+00    1.200E-03     -1.906E-05    3.921E-07     0.000E+00
17*    -2.990E+00    2.987E-04     0.000E+00     0.000E+00     0.000E+00
21*    -6.530E+00    1.273E-03     -3.455E-05    1.650E-06     -1.159E-08
各種データ    ズーム比      11.7                 
広角   中間   望遠          
焦点距離      2.95   15.23  34.52              
Fナンバー     1.85   2.91   3.23          
半画角        38.54  8.77   3.90               
像高          2.35   2.35   2.35               
レンズ全長    62.4   62.4   62.4               
BF            7.01   9.99   8.18               
間隔                               
d8            0.500  15.296 19.968        
d14           20.468 5.672  1.000         
d20           4.166  1.181  3.000         
d23           3.684  6.669  4.850         
【０１７３】
[数値実施例２]
i      Ri            di            Ni            νi    
1      -210.462      1.400         1.92286       18.9   
2      37.973        3.316                
3      179.514       2.800         1.60311       60.7   
4      -86.918       0.150                
5      45.730        3.501         1.83481       42.7   
6      -286.064      0.150                
7      24.253        3.860         1.88300       40.8   
8      79.513        （可変）                    
9      13.073        0.500         2.00330       28.3   
10     4.001         2.671                
11     -7.463        0.500         1.69680       55.5   
12     14.150        0.689                
13*    20.710        1.913         1.84666       23.8   
14*    -12.494       （可変）                    
15     （絞り）      0.150                
16*    7.976         3.204         1.69350       53.2   
17*    999.488       2.590                
18     8.512         0.723         1.92286       18.9   
19     5.553         （可変）                    
20*    8.527         3.200         1.58313       59.4   
21     -5.292        0.400         1.92286       18.9   
22     -11.346       （可変）                    
23     ∞            1.000         1.51400       60.0   
24     ∞            0.710         1.54400       70.0   
25     ∞            0.650                
26     ∞            0.500         1.50000       60.0   
27     ∞                          
非球面係数                                
K             Ｂ            Ｃ            Ｄ            Ｅ
13*    -8.253E+00    4.681E-04     2.163E-05     -1.939E-06    0.000E+00
14*    4.592E+00     2.827E-04     2.253E-05     -5.850E-07    -2.423E-08
16*    -3.672E+00    8.920E-04     -5.731E-06    2.424E-07     0.000E+00
17*    0.000E+00     3.557E-04     9.217E-06     0.000E+00     0.000E+00
20*    2.800E+00     -3.763E-04    -2.937E-05    1.954E-06     -1.482E-07
各種データ    ズーム比      11.7                 
広角   中間   望遠          
焦点距離      2.95   14.68  34.51              
Fナンバー     1.88   2.82   3.22          
半画角        38.54  9.09   3.90               
像高          2.35   2.35   2.35               
レンズ全長    62.9   62.9   62.9               
BF            6.34   9.05   6.94               
間隔                               
d8            0.500       15.533 20.280               
d14           20.780 5.747 1.000               
d19           3.581       0.870  3.000              
d22           3.354       6.065  3.935              
【０１７４】
[数値実施例３]
i      Ri            di            Ni            νi    
1      -528.904      1.400         1.92286       18.9   
2      26.965        5.497                
3      43.086        5.000         1.88300       40.8   
4      -56.218       0.150                
5      23.638        3.700         1.88300       40.8   
6      61.655        （可変）                    
7      15.932        0.500         2.00330       28.3   
8      4.275         3.085                
9      -5.383        0.500         1.69680       55.5   
10     -378.619      0.284                
11*    80.917        1.894         1.84666       23.8   
12*    -9.124        （可変）                    
13     （絞り）      0.150                
14*    6.673         2.429         1.69350       53.2   
15*    -40.158       0.720                
16     15.650        0.922         1.48749       70.2   
17     425.981       0.400         1.83400       37.2   
18     5.659         （可変）                    
19*    8.980         3.200         1.58313       59.4   
20     -5.245        0.400         1.92286       18.9   
21     -9.546        （可変）                    
22     ∞            1.000         1.51400       60.0   
23     ∞            0.710         1.54400       70.0   
24     ∞            0.650                
25     ∞            0.500         1.50000       60.0   
26     ∞                          
非球面係数                                
K             Ｂ            Ｃ            Ｄ            Ｅ
11*    0.000E+00     6.582E-04     2.224E-05     -2.049E-06    3.071E-08
12*    -9.347E-01    1.197E-05     2.655E-05     -9.156E-07    0.000E+00
14*    -3.264E+00    1.132E-03     -1.611E-05    3.146E-07     0.000E+00
15*    -2.990E+00    2.457E-04     0.000E+00     0.000E+00     0.000E+00
19*    -7.066E+00    1.120E-03     -3.189E-05    1.116E-06     0.000E+00
各種データ    ズーム比      8.0                  
広角   中間   望遠          
焦点距離      3.03   12.23  24.26              
Fナンバー     1.89   2.77   3.30          
半画角        37.80  10.88  5.53               
像高          2.35   2.35   2.35               
レンズ全長    65.3   65.3   65.3               
BF            7.77   10.45  10.15              
間隔                               
d6            0.50   14.92  19.48         
d12           19.98  5.56   1.00          
d18           6.80   4.10   4.41          
d21           3.88   6.58   6.27          
【０１７５】
[数値実施例４]
i      Ri            di            Ni            νi    
1      -102.633      1.450         2.0006        25.5   
2      39.260        2.983                
3      113.836       3.296         1.48749       70.2   
4      -51.359       0.150                
5      42.045        3.559         1.7725        49.6   
6      -120.244      0.150                
7      24.949        3.400         1.83222       52.5   
8      83.341        （可変）                    
9      14.878        0.550         2.00330       28.3   
10     4.526         2.736                
11     -6.701        0.500         1.69680       55.5   
12     13.030        0.726                
13*    23.390        1.833         1.84666       23.8   
14*    -12.327       （可変）                    
15     （絞り）      0.150                
16*    7.289         2.794         1.69350       53.2   
17*    -29.051       1.698                
18     34.220        0.922         1.48749       70.2   
19     -17.393       0.400         1.83400       37.2   
20     6.449         （可変）                    
21*    8.752         3.131         1.58313       59.4   
22     -5.296        0.450         1.92286       18.9   
23     -8.557        （可変）                    
24     ∞            1.000         1.51400       60.0   
25     ∞            0.710         1.54400       70.0   
26     ∞            0.650                
27     ∞            0.500         1.50000       60.0   
28     ∞                          
非球面係数                                
K             Ｂ            Ｃ            Ｄ            Ｅ
13*    0.000E+00     2.503E-04     2.435E-05     -3.693E-06    7.371E-08
14*    4.200E-01     -4.002E-05    1.943E-05     -1.908E-06    1.071E-08
16*    -3.573E+00    9.428E-04     -1.479E-05    2.644E-07     0.000E+00
17*    -2.990E+00    1.534E-04     0.000E+00     3.061E-08     0.000E+00
21*    -7.357E+00    1.051E-03     -4.348E-05    1.818E-06     -3.215E-08
各種データ    ズーム比      11.7                 
広角   中間   望遠          
焦点距離      2.95   16.31  34.48              
Fナンバー     1.85   3.34   3.52          
半画角        39.71  8.54   4.06               
像高          2.45   2.45   2.45          
レンズ全長    65.2   65.2   65.2               
BF            8.48   12.21  10.16              
間隔                               
d8            0.500  15.328 20.011        
d14           20.711 5.882  1.200         
d20           4.677  0.962  3.000         
d23           3.290  7.005  4.967         
【０１７６】
[数値実施例５]
i      Ri            di            Ni            νi    
1      -253.346      32.000        1.92286       18.9   
2      49.997        2.501                
3      64.370        3.347         1.88300       40.8   
4      -253.898      0.153                
5      46.370        4.000         1.69680       55.5   
6      -273.653      0.340                
7      22.502        3.044         1.88300       40.8   
8      37.752        （可変）                    
9      15.139        0.503         2.00330       28.3   
10     5.919         2.590                
11     -12.914       0.798         1.69680       55.5   
12     7.642         0.689                
13     9.523         1.410         1.92286       18.9   
14     80.666        （可変）                    
15     （絞り）      1.633                
16*    6.881         1.963         1.69350       53.2   
17*    -107.313      1.028                
18     11.744        0.922         1.48749       70.2   
19     12.716        0.426         1.72825       28.5   
20     5.176         （可変）                    
21*    9.477         3.055         1.58313       59.4   
22     -5.355        0.349         1.92286       18.9   
23     -9.933        （可変）                    
24     ∞            1.000         1.51400       60.0   
25     ∞            0.710         1.54400       70.0   
26     ∞            0.650                
27     ∞            0.500         1.50000       60.0   
28     ∞                          
非球面係数                                
K             Ｂ            Ｃ            Ｄ            Ｅ
16*    -3.273E+00    1.011E-03     -1.578E-05    3.536E-07     0.000E+00
17*    8.907E+00     1.671E-04     0.000E+00     7.353E-08     0.000E+00
21*    -8.722E+00    1.205E-03     -3.012E-05    7.097E-07     1.015E-08
各種データ    ズーム比      10.0                 
広角   中間   望遠          
焦点距離      3.20   14.79  31.93              
Fナンバー     1.85   2.50   3.20          
半画角        36.28  9.03   4.21               
像高          2.35   2.35   2.35          
レンズ全長    92.0   92.0   92.0               
BF            6.71   8.82   7.16               
間隔                               
d8            0.503  14.401 18.790        
d14           20.469 6.583  2.184         
d20           3.559  1.438  3.115         
d23           3.793  5.901  4.228         
【０１７７】
[数値実施例６]
i      Ri            di            Ni            νi    
1      -243.842      26.450        2.14352       17.8   
2      66.937        1.982                
3      123.536       2.969         1.88300       40.8   
4      -134.828      0.150                
5      55.786        3.912         1.77250       49.6   
6      -193.453      0.246                
7      21.941        3.393         1.88300       40.8   
8      44.537        （可変）                    
9      17.715        0.500         2.00330       28.3   
10     5.925         2.737                
11     -11.530       0.800         1.65100       56.2   
12     8.058         0.663                
13     9.931         1.483         1.92286       18.9   
14     94.068        （可変）                    
15     （絞り）      1.537                
16*    7.119         1.985         1.69350       53.2   
17*    -35.563       1.134                
18     38.195        0.427         1.63980       34.5   
19     7.091         （可変）                    
20*    11.296        3.832         1.58313       59.4   
21     -4.452        0.350         1.92286       18.9   
22     -8.188        （可変）                    
23     ∞            1.000         1.51400       60.0   
24     ∞            0.710         1.54400       70.0   
25     ∞            0.650                
26     ∞            0.500         1.50000       60.0   
27     ∞                          
非球面係数                                
K             Ｂ            Ｃ            Ｄ            Ｅ
16*    -3.436E+00    9.815E-04     -1.624E-05    4.182E-07     0.000E+00
17*    8.907E+00     2.602E-04     0.000E+00     7.919E-08     0.000E+00
20*    -1.292E+01    9.851E-04     -3.439E-05    1.388E-06     1.892E-08
各種データ    ズーム比      10.0                 
広角   中間   望遠          
焦点距離      3.05   13.71  30.50              
Fナンバー     1.85   2.50   3.20          
半画角        37.61  9.73   4.41               
像高          2.35   2.35   2.35          
レンズ全長    85.4   85.4   85.4               
BF            6.50   8.42   6.75               
間隔                               
d8            0.500  13.846 18.060        
d14           18.860 5.514  1.300         
d19           3.192  1.277  2.945         
d23           3.200  5.115  3.446         
【０１７８】
[数値実施例７]
i      Ri            di            Ni            νi    
1      -90.911       1.400         1.84666       23.8   
2      42.980        1.252                
3      75.820        3.423         1.69680       55.5   
4      -80.623       0.150                
5      32.371        3.800         1.80400       46.6   
6      252.303       0.150                
7      24.669        3.400         1.88300       40.8   
8      45.764        （可変）                    
9      18.114        0.500         2.00330       28.3   
10     5.018         2.161                
11     48.323        0.500         1.88300       40.8   
12     10.159        1.356                
13     -12.824       0.450         1.88300       40.8   
14     29.739        0.168                
15     15.508        1.767         1.92286       18.9   
16     -18.729       （可変）                    
17     （絞り）      0.150                
18*    6.836         2.053         1.69350       53.2   
19     56.392        0.806                
20     10.563        0.800         1.88300       40.8   
21     5.686         （可変）                    
22     10.801        0.600         1.92286       18.9   
23     6.855         1.645         1.83481       42.7   
24     9.696         （可変）                    
25*    8.008         2.852         1.58313       59.4   
26     -7.747        0.400         1.92286       18.9   
27     -12.252       （可変）                    
28     ∞            1.000         1.51400       60.0   
29     ∞            0.710         1.54400       70.0   
30     ∞            0.650                
31     ∞            0.500         1.50000       60.0   
32     ∞                          
非球面係数                                
K             Ｂ            Ｃ                   Ｄ     Ｅ
18*    -2.265E+00    6.419E-04     -5.110E-06    9.984E-08     -1.379E-09
25*    -5.086E+00    9.339E-04     -3.305E-05    1.176E-06     -2.108E-08
各種データ    ズーム比      12.0                 
広角   中間   望遠          
焦点距離      2.95   15.25  35.42              
Fナンバー     1.87   2.73   3.24          
半画角        38.54  8.76   3.80               
像高          2.35   2.35   2.35          
レンズ全長    67.2   67.2   67.2               
BF            8.13   12.19  11.99              
間隔                               
d8            0.500  15.619 20.394        
d16           21.144 6.025  1.250         
d21           7.085  3.056  0.816         
d24           0.600  0.572  3.000         
d27           3.183  7.240  7.052         
【０１７９】
[数値実施例８]
i      Ri            di            Ni            νi    
1      -391.761      1.400         1.84666       23.8   
2      35.901        2.408                
3      87.830        3.138         1.48749       70.2   
4      -74.595       0.150                
5      34.553        3.699         1.69680       55.5   
6      -1364.070     0.150                
7      22.733        3.502         1.80400       46.6   
8      65.386        （可変）                    
9      16.341        0.500         2.00330       28.3   
10     4.398         2.889                
11     -6.896        0.500         1.69680       55.5   
12     11.765        0.757                
13*    20.947        1.812         1.84666       23.8   
14*    -12.159       （可変）                    
15     （絞り）      0.150                
16*    6.716         2.491         1.69350       53.2   
17*    -27.754       0.642                
18     12.745        0.922         1.48749       70.2   
19     -178.235      0.400         1.83400       37.2   
20     5.432         （可変）                    
21*    10.603        3.150         1.58313       59.4   
22     -5.748        0.400         1.92286       18.9   
23     -11.119       （可変）                    
24     24.218        0.800         1.48749       70.2   
25     -1016.273     0.650                
26     ∞            2.200         1.50000       60.0   
27     ∞                          
非球面係数                                
K             Ｂ            Ｃ            Ｄ            Ｅ
13*    0.000E+00     3.967E-04     2.781E-05     -3.120E-06    4.607E-08
14*    -4.653E-01    -6.797E-06    2.458E-05     -1.653E-06    0.000E+00
16*    -3.477E+00    1.184E-03     -1.951E-05    4.231E-07     0.000E+00
17*    -2.990E+00    3.124E-04     0.000E+00     0.000E+00     0.000E+00
21*    -9.883E+00    1.133E-03     -3.184E-05    8.018E-07     1.324E-08
各種データ    ズーム比      11.7                 
広角   中間   望遠          
焦点距離      2.95   15.66  34.51              
Fナンバー     1.86   2.93   3.18          
半画角        38.54  8.53   3.90               
像高          2.35   2.35   2.35          
レンズ全長    62.1   62.1   62.1               
BF            6.27   6.27   6.27               
間隔                               
d8            0.500  14.801 19.317        
d14           19.817 5.516  1.000         
d20           5.024  0.949  3.125         
d23           0.623  4.698  2.522         
【０１８０】
【表１】
2009204942.tif 000003
【０１８１】
上記の実施例においては、４群構成（４つのレンズユニットを持つ構成）や５群構成について記載したが、その限りでは無く、６群構成やそれ以上の群で構成したズームレンズであっても構わない。
【０１８２】
次に実施例１〜４、７、８に示したようなズームレンズを撮影光学系として用いたデジタルスチルカメラの実施形態を図３５を用いて説明する。
【０１８３】
図３５において、２０はカメラ本体、２１は実施例１〜４で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダーである。
【０１８４】
このように本発明のズームレンズをデジタルスチルカメラ等の撮像装置に適用することにより、小型で高い光学性能を有する撮像装置が実現できる。
【０１８５】
図３６は本発明の実施例５、６のズームレンズを用いたデジタルカメラの要部概略図である。
【０１８６】
図３６において、１０はデジタルカメラ本体、１１は本発明の実施例５、６に係る反射面を有するズームレンズである。１２はカメラ本体に内蔵されたストロボ、１３は外部式ファインダー、１４はシャッターボタンである。１５は本発明に係るズームレンズのカメラボディー内での概略な光学系配置関係を示す。
【０１８７】
このように本発明の実施例５、６のズームレンズを像を受光する固体撮像素子を用いたデジタルカメラ等に適用することにより、特にカメラボディー形態を薄型化がなされるような、小型で高い光学性能を有する撮像装置を実現している。
【０１８８】
またこの例では、ズームレンズを横位置撮影時に反射面で偏向された光軸が上下（垂直）方向になるように配置を行っているが、前記偏向された光軸が左右（水平）方向になるように配置しても良い。
【図面の簡単な説明】
【０１８９】
【図１】実施例１のズームレンズの広角端におけるレンズ断面図
【図２】実施例１のズームレンズの広角端における諸収差図
【図３】実施例１のズームレンズの中間のズーム位置における諸収差図
【図４】実施例１のズームレンズの望遠端における諸収差図
【図５】実施例２のズームレンズの広角端におけるレンズ断面図
【図６】実施例２のズームレンズの広角端における諸収差図
【図７】実施例２のズームレンズの中間のズーム位置における諸収差図
【図８】実施例２のズームレンズの望遠端における諸収差図
【図９】実施例３のズームレンズの広角端におけるレンズ断面図
【図１０】実施例３のズームレンズの広角端における諸収差図
【図１１】実施例３のズームレンズの中間のズーム位置における諸収差図
【図１２】実施例３のズームレンズの望遠端における諸収差図
【図１３】実施例４のズームレンズの広角端におけるレンズ断面図
【図１４】実施例４のズームレンズの広角端における諸収差図
【図１５】実施例４のズームレンズの中間のズーム位置における諸収差図
【図１６】実施例４のズームレンズの望遠端における諸収差図
【図１７】実施例５のズームレンズの広角端におけるレンズ断面図
【図１８】実施例５のズームレンズの広角端における諸収差図
【図１９】実施例５のズームレンズの中間のズーム位置における諸収差図
【図２０】実施例５のズームレンズの望遠端における諸収差図
【図２１】実施例６のズームレンズの広角端におけるレンズ断面図
【図２２】実施例６のズームレンズの広角端における諸収差図
【図２３】実施例６のズームレンズの中間のズーム位置における諸収差図
【図２４】実施例６のズームレンズの望遠端における諸収差図
【図２５】実施例７のズームレンズの広角端におけるレンズ断面図
【図２６】実施例７のズームレンズの広角端における諸収差図
【図２７】実施例７のズームレンズの中間のズーム位置における諸収差図
【図２８】実施例７のズームレンズの望遠端における諸収差図
【図２９】実施例８のズームレンズの広角端におけるレンズ断面図
【図３０】実施例８のズームレンズの広角端における諸収差図
【図３１】実施例８のズームレンズの中間のズーム位置における諸収差図
【図３２】実施例８のズームレンズの望遠端における諸収差図
【図３３】実施例５の折り曲げ用のプリズムの使用時のレンズ断面図
【図３４】図１の一部分の説明図
【図３５】本発明の撮像装置の要部概略図
【図３６】本発明の撮像装置の要部概略図
【符号の説明】
【０１９０】
Ｌ１        第１レンズ群
Ｌ２        第２レンズ群
Ｌ３        第３レンズ群
Ｌ４        第４レンズ群
Ｌ５        第５レンズ群
ｄ          ｄ線
ｇ          ｇ線
ΔＭ        メリディオナル像面
ΔＳ        サジタル像面
ＳＰ        絞り
ＩＰ        像面
Ｇ          ガラスブロック
ω          半画角
Ｆ          Ｆナンバー
【図１】
2009204942.tif 000004
【図２】
2009204942.tif 000005
【図３】
2009204942.tif 000006
【図４】
2009204942.tif 000007
【図５】
2009204942.tif 000008
【図６】
2009204942.tif 000009
【図７】
2009204942.tif 000010
【図８】
2009204942.tif 000011
【図９】
2009204942.tif 000012
【図１０】
2009204942.tif 000013
【図１１】
2009204942.tif 000014
【図１２】
2009204942.tif 000015
【図１３】
2009204942.tif 000016
【図１４】
2009204942.tif 000017
【図１５】
2009204942.tif 000018
【図１６】
2009204942.tif 000019
【図１７】
2009204942.tif 000020
【図１８】
2009204942.tif 000021
【図１９】
2009204942.tif 000022
【図２０】
2009204942.tif 000023
【図２１】
2009204942.tif 000024
【図２２】
2009204942.tif 000025
【図２３】
2009204942.tif 000026
【図２４】
2009204942.tif 000027
【図２５】
2009204942.tif 000028
【図２６】
2009204942.tif 000029
【図２７】
2009204942.tif 000030
【図２８】
2009204942.tif 000031
【図２９】
2009204942.tif 000032
【図３０】
2009204942.tif 000033
【図３１】
2009204942.tif 000034
【図３２】
2009204942.tif 000035
【図３３】
2009204942.tif 000036
【図３４】
2009204942.tif 000037
【図３５】
2009204942.tif 000038
【図３６】
2009204942.tif 000039